【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
コンピュータプログラムであって、コンピュータに、
入力部によって入力されたテキストに、既設定のキーワードが含まれているか否かということを、メモリ上に保存されたキーワードテーブルを介して確認する段階と、
前記テキストに、前記既設定のキーワードが含まれている場合、デバイスのディスプレイスクリーンに表示するコンテンツの表示情報を、前記既設定のキーワードに関連させて決定する段階と、
前記コンテンツを管理するプログラムが活性化された時間、前記プログラムに所定のアカウントがログインされた時間、前記コンピュータが活性化された時間、前記入力部によって、前記テキストが入力された時間、及び前記テキストをサーバに発送した時間のうち少なくとも１つの時間を確認する段階と、
前記確認された少なくとも１つの時間を基に、前記表示情報を表示する時間を決定する段階と、
を含むコンテンツ管理方法を実行させるコンピュータプログラム。
【請求項２】
前記コンテンツ管理方法は、前記コンテンツの表示情報を決定する段階の後、
前記コンテンツの表示情報を、前記デバイスに提供する対話相手を決定する段階、
をさらに含み、
前記対話相手は、前記コンテンツに係わるポップアップまたはメッセージを、前記デバイスに提供するボットである、
請求項１に記載のコンピュータプログラム。
【請求項３】
前記コンテンツ管理方法は、前記メモリ上に保存されたキーワードテーブルを介して確認する段階以前、または前記テキストに、前記既設定のキーワードが含まれないと確認された場合、
前記テキスト及び前記少なくとも１つの時間に係わる情報を、前記サーバに伝送し、前記サーバに保存されたキーワードテーブルを介して照会された前記表示情報を、前記サーバから受信する段階、
をさらに含む、
請求項１又は２に記載のコンピュータプログラム。
【請求項４】
前記メモリまたは前記サーバに保存されたキーワードテーブルは、前記既設定のキーワードと、それぞれの前記キーワードとに対応するコンテンツ情報、及びそれぞれの前記キーワードが一定時間帯別に、過去メッセージに含まれた回数に係わる情報を含み、
前記コンテンツ管理方法は、
前記少なくとも１つの時間が含まれる前記一定時間帯に、前記キーワードテーブルに、前記既設定のキーワードが含まれた回数に基づいて、前記キーワードテーブルをアップデートする段階、
をさらに含む、
請求項１乃至３のいずれか一項に記載のコンピュータプログラム。
【請求項５】
前記コンテンツ管理方法は、
前記サーバに、前記決定された表示情報を要請して受信する段階、
をさらに含む、
請求項１乃至４のいずれか一項に記載のコンピュータプログラム。
【請求項６】
前記コンテンツ管理方法は、
１以上の前記既設定のキーワードのリストが作成されたキーワードテーブルをメモリに保存する段階と、
一定周期ごと、または前記キーワードテーブルがアップデートされるたびに、前記キーワードテーブル全体に係わる情報、または前記キーワードテーブルのアップデート内訳に係わる情報を、前記サーバに送信する段階と、
をさらに含む、
請求項１乃至５のいずれか一項に記載のコンピュータプログラム。
【請求項７】
前記コンテンツ管理方法は、
前記テキストが、前記サーバで確認することができないように暗号化されている場合、前記サーバから、前記サーバに保存されたキーワードテーブルを受信する段階と、
前記サーバから受信したキーワードテーブルを介して、前記テキストを分析し、前記テキストに、前記既設定のキーワードの存在いかんを確認する段階と、
をさらに含む、
請求項１乃至６のいずれか一項に記載のコンピュータプログラム。
【請求項８】
前記ディスプレイスクリーンには、少なくとも１つの外部デバイスと、視覚的記号を介した対話を行うための対話リストが表示され、
前記コンテンツ管理方法は、
前記ディスプレイスクリーンに、前記対話リストに含まれる１つの対話として、前記コンテンツを提供する段階、
をさらに含む、
請求項１乃至７のいずれか一項に記載のコンピュータプログラム。
【請求項９】
前記ディスプレイスクリーンには、チャットウィンドウを含む第１レイヤ、及び前記第１レイヤの背景として、前記第１レイヤの後方に位置する第２レイヤを含むアプリケーション映像が表示され、
前記コンテンツ管理方法は、
前記アプリケーション映像の横長及び縦長のうち少なくとも一つが、既設定の第１長さ以上である場合、前記コンテンツを、前記第１レイヤ及び前記第２レイヤの間で、前記第２レイヤと実質的に同一サイズ表示するように制御する段階と、
前記第２レイヤの大きさが、前記第１レイヤと実質的に同一サイズに調節される場合、前記コンテンツを、前記第１レイヤ上に表示するように制御する段階と、
をさらに含む、
請求項１乃至８のいずれか一項に記載のコンピュータプログラム。
【請求項１０】
前記コンテンツ管理方法は、前記決定する段階の後、
前記コンテンツまたは前記表示情報を、前記サーバから受信する段階、
をさらに含む、
請求項１乃至９のいずれか一項に記載のコンピュータプログラム。
【請求項１１】
前記コンテンツ管理方法は、前記決定する段階以前、
前記コンテンツまたは前記表示情報を、前記サーバから受信する段階、
をさらに含み、
前記決定する段階は、前記コンテンツまたは前記表示情報を選択する信号を生成する段階を含む、
請求項１乃至１０のいずれか一項に記載のコンピュータプログラム。
【請求項１２】
デバイスからテキストを受信する通信部と、
制御部と、
を含み、前記制御部は、
前記テキストに、既設定のキーワードが含まれているか否かということを、メモリ上に保存されたキーワードテーブルを介して確認し、
前記テキストに、前記既設定のキーワードが含まれている場合、前記デバイスのディスプレイスクリーンに表示するコンテンツの表示情報を、前記既設定のキーワードに関連させて決定しながら、前記テキストが、前記デバイスで生成された時間、前記テキストが、前記デバイスに発送された時間、及び前記テキストを受信した時間のうち少なくとも１つの時間を確認し、
前記確認された少なくとも１つの時間を基に、前記表示情報を、前記デバイスのディスプレイスクリーンに表示する時間を決定する、
コンテンツ管理装置。
【請求項１３】
前記制御部は、前記コンテンツを前記デバイスに提供する対話相手を決定し、
前記対話相手は、前記コンテンツに係わるポップアップまたはメッセージを、前記デバイスに提供するボットである、
請求項１２に記載のコンテンツ管理装置。
【請求項１４】
前記通信部は、１以上の前記既設定のキーワードのリストが作成された前記キーワードテーブルを、前記デバイスに送信する、
請求項１２又は１３に記載のコンテンツ管理装置。
【請求項１５】
前記キーワードテーブルは、
前記既設定のキーワードと、それぞれの前記キーワードとに対応するコンテンツ情報、及びそれぞれの前記キーワードが一定時間帯別に、過去メッセージに含まれた回数に係わる情報を含み、
前記制御部は、前記少なくとも１つの時間が含まれる前記一定時間帯に、前記キーワードテーブルに、前記既設定のキーワードが含まれた回数に基づいて、前記キーワードテーブルをアップデートする、
請求項１２に記載のコンテンツ管理装置。
【請求項１６】
前記制御部は、前記テキストが暗号化されている場合、前記デバイスに対する前記テキストの分析要請信号を生成し、
前記通信部は、前記デバイスに、前記分析要請信号を送信する、
請求項１２乃至１５のいずれか一項に記載のコンテンツ管理装置。
【請求項１７】
１以上の保管コンテンツが保存されたデータベースをさらに含み、
前記制御部は、前記少なくとも１つの時間及び前記既設定のキーワードを基に、前記データベースに保存された１以上の保管コンテンツのうち前記コンテンツを選択する、
請求項１２乃至１６のいずれか一項に記載のコンテンツ管理装置。
【請求項１８】
前記通信部は、前記制御部によって、前記コンテンツが決定された後、前記データベースに保存された前記１以上の保管コンテンツのうち選択された前記コンテンツを、前記デバイスに送信する、
請求項１７に記載のコンテンツ管理装置。
【請求項１９】
前記通信部は、前記制御部によって、前記コンテンツが決定される前、前記データベースに保存された前記１以上の保管コンテンツのうち少なくとも一部を前記デバイスに送信し、前記制御部によって、前記コンテンツが決定された後、前記１以上の保管コンテンツのうち前記コンテンツを選択する信号を前記デバイスに送信する、
請求項１７又は１８に記載のコンテンツ管理装置。
【請求項２０】
前記デバイスのディスプレイスクリーンには、チャットウィンドウを含む第１レイヤ、及び前記第１レイヤの背景として、前記第１レイヤの後方に位置する第２レイヤを含むアプリケーション映像が表示され、
前記制御部は、前記アプリケーション映像の横長及び縦長のうち少なくとも一つが既設定の第１長さ以上である場合、前記コンテンツが、前記第１レイヤ及び前記第２レイヤの間で、前記第２レイヤと実質的に同一サイズに表示されるように、前記デバイスを制御するコンテンツ表示信号を生成し、
前記通信部は、前記デバイスに、前記コンテンツ表示信号を送信する、
請求項１２乃至１９のいずれか一項に記載のコンテンツ管理装置。
【請求項２１】
第１ユーザのアカウントが活性化されたデバイスにおいて表示されるコンテンツを管理する方法であって、
制御部によって、入力部によって入力されたテキストに、既設定のキーワードが含まれているか否かということを、メモリ上に保存されたキーワードテーブルを介して確認する段階と、
前記制御部によって、前記テキストに、前記既設定のキーワードが含まれている場合、デバイスのディスプレイスクリーンに表示するコンテンツの表示情報を、前記既設定のキーワードに関連させて決定する段階と、
前記制御部によって、前記コンテンツを管理するプログラムが活性化された時間、前記プログラムに所定のアカウントがログインされた時間、前記プログラムが動作するデバイスが活性化された時間、入力部によってテキストが入力された時間、及び前記テキストをサーバに発送した時間のうち少なくとも１つの時間を確認する段階と、
前記制御部によって、前記確認された少なくとも１つの時間を基に、前記表示情報を表示する時間を決定する段階と、
を含むコンテンツ管理方法。